(57)【特許請求の範囲】
【請求項１】
枠組足場の組立にあたって既設下段足場板から新設上段足場板の仮設手摺として足場用建枠の縦材間に取り付けられる安全手摺で、水平手摺材とこれの両端部に夫々の一端部が枢着された一対の斜材とからなる安全手摺を、非使用時にその手摺材と斜材とがばらけないように固定するための合成樹脂製の安全手摺用固定具であって、
水平手摺材の中央部にそれを抱持するように取り付けられる手摺材固定部と、手摺材固定部の下側に位置するようにそれと一体に連設され、両斜材を水平手摺材に対し折り畳む時に両斜材の所要部を夫々嵌め入れて固定するように断面略Ｃ字状に形成された嵌合部を有する一対の斜材固定部とからなり、両斜材固定部の断面略Ｃ字状嵌合部は、夫々斜材を嵌め入れる開口部が下向きに開口して互いに隣り合うように並設されており、
前記手摺材固定部は、開くと断面略円弧形を成し、閉じると断面円形を成すように弾性変形可能な可変板状部からなり、この可変板状部の両端部に両側一対の接合板部を介して前記一対の斜材固定部が一体連設され、可変板状部を閉じることによって、両接合板部どうしを接合させると共に、両斜材固定部を互いに隣り合わせに接合して、両接合板部をボルト止めするようにしてなることを特徴とする安全手摺用固定具。
【請求項２】
前記断面略Ｃ字状嵌合部の開口部にはその開口端面に、斜材を開口部内へ案内するテーパガイド部を設けてなることを特徴とする請求項１に記載の安全手摺用固定具。
【請求項３】
両斜材固定部を互いに隣り合わせに接合することによって、両斜材固定部の各端部も互いに隣り合わせに接合され、該両接合端部どうしを固定手段により固定するようにした請求項１に記載の安全手摺用固定具。
【請求項４】
前記固定手段は、接合端部の何れか一方から他方にねじ込まれるネジもしくはネジとこれがねじ込まれるナットとからなる請求項３に記載の安全手摺用固定具。
【請求項５】
前記固定手段は、接合端部の何れか一方の端部の接合端面に、末広がりテーパ状頭部付き軸部を一体形成すると共に、他方の端部の接合端面側に、前記頭部の大径部より径小で前記軸部の長さより長い孔部と、前記頭部の大径部より径大で且つ頭部の軸方向長さより若干長い孔部とを同軸状に連設し、前記頭部付き軸部を前記孔部に強制的に押し込むようにした請求項３に記載の安全手摺用固定具。
【発明の詳細な説明】
【技術分野】
【０００１】
本発明は、枠組足場の組立にあたって既設下段足場板から新設上段足場板の仮設手摺として足場用建枠の縦材間に取り付けられる安全手摺であって、水平手摺材とこれの両端部に夫々の一端部が枢着された一対の斜材とからなる安全手摺を、取り付けの際や、運搬、保管時等の非使用時にその手摺材及び両斜材の３本の棒材がばらけないように固定する、つまり簡易ロックするための安全手摺用固定具に関する。
【背景技術】
【０００２】
図１の(a) はＨ形の足場用建枠１からなる枠組足場を示す正面図、(b) はその側面図、(c) は安全手摺Ｔを示す正面図である。Ｈ形足場用建枠１は、両側一対の縦材２，２と、両縦材２，２の中間部をつなぐ横材３と、各縦材２と横材３とのコーナー部を補強する補強材４とからなり、各縦材２の上端部及び中間部には夫々内側面部にロック爪付きピン５が突設されている。また安全手摺Ｔは、(c) に示すように、水平手摺材６と、これの両端部に夫々取り付けられた回転金具９を介して夫々の一端部が枢着された一対の斜材７，８とからなるもので、各斜材７，８の一端部は、図１の(c) に示すように安全手摺Ｔの使用姿勢において斜材７，８が上下方向に揺動自在となるように水平手摺材６の両端部に枢着され、そして両斜材７，８を水平手摺材６と平行に折り畳む時に、両斜材７，８どうしが不都合に干渉しないように、一方の斜材７の枢着端部と、他方の斜材８の枢着端部とは、水平手摺材６の端部に取り付けた回転金具９を挟んでその左右両側に位置している。
【０００３】
枠組足場の組立にあたっては、足場用建枠１を一定間隔おきに対向配置して、両足場用建枠１，１の対向する縦材２，２間に亘って安全手摺Ｔを取り付けると共に、対向する横材３，３間に亘って足場板１０を架け渡すことにより、１段目足場を組み立て、しかしてこの１段目足場の足場板１０に上がって２段目の足場用建枠１を継ぎ足し、この２段目足場用建枠１，１の対向する縦材２，２間に安全手摺Ｔを取り付けた後、対向する横材３，３間に足場板１０を架け渡すことによって、２段目足場を組み立てる。以降同様にして、足場用建枠１を順次継ぎ足し、既設下段足場板１０から新設上段足場板１０の仮設手摺として縦材２，２間に安全手摺Ｔ取り付けながら枠組足場Ｗを組み立ててゆく。この足場用建枠１からなる枠組足場Ｗの場合には、足場用建枠１の両側に安全手摺Ｔが取り付けられる。
【０００４】
図２の(a) は変形Ｈ形足場用建枠１１からなる枠組足場を示す正面図、(b) はその側面図、(c) は安全手摺Ｔを示す正面図である。変形Ｈ形の足場用建枠１１は、一方の縦材２の中間部より下側に横材３の一端部を連結すると共に、この横材３の他端部に縦材２の上端部を連結し、横材３と両縦材２，２とのコーナー部に補強材４を介装したものであり、また安全手摺Ｔは、(c) に示すように、水平手摺材６と、これの両端部に夫々取り付けられた回転金具９を介して夫々の一端部が枢着された一対の斜材７，８とからなるもので、各斜材７，８の一端部は、図２の(c) に示すように安全手摺Ｔの使用姿勢において斜材７，８が上下方向に揺動自在となるように水平手摺材６の両端部に枢着され、そして両斜材７，８を水平手摺材６と平行に折り畳む時に、両斜材７，８どうしが不都合に干渉しないように、一方の斜材７の枢着端部と、他方の斜材８の枢着端部とは、水平手摺材６の端部に取り付けた回転金具９を挟んでその左右両側に位置している。
【０００５】
しかして、枠組足場の組立にあたっては、足場用建枠１１を一定間隔おきに対向配置して、両足場用建枠１１，１１の対向する縦材２，２間に安全手摺Ｔを取り付け、対向する横材３，３間に足場板１０を架け渡すことにより、１段目足場を組み立て、この１段目足場の足場板１０に上がって２段目の足場用建枠１を継ぎ足し、この２段目足場用建枠１，１の対向する縦材２，２間に安全手摺Ｔを取り付けた後、対向する横材３，３間に足場板１０を架け渡し、２段目足場を組み立てる。以降同様にして、足場用建枠１を順次継ぎ足し、既設下段足場板１０から新設上段足場板１０の仮設手摺として縦材２，２間に安全手摺Ｔ取り付けながら枠組足場Ｗを組み立てる。この変形Ｈ形足場用建枠１１からなる枠組足場Ｗの場合には、足場用建枠１の片側に安全手摺Ｔが取り付けられる。
【発明の開示】
【発明が解決しようとする課題】
【０００６】
ところで、上記のように枠組足場の組立時に既設下段足場板から新設上段足場板の仮設手摺として足場の縦材間に取り付けるのに使用される安全手摺Ｔは、水平手摺材６とこれの両端部に夫々の一端部が枢着された一対の斜材７，８との３本の棒材からなるもので、両斜材７，８が水平手摺材６に対しブラブラの状態にあって持ち難い上に、３本を一緒に掴まないとバラバラになるため、足場用建枠１，１１への取付時、あるいは運搬や保管の際に非常に危険であった。そこで、本発明は、安全手摺Ｔの取付けの際や、運搬、保管時等の非使用時に水平手摺材６及び斜材７，８の３本の棒材をばらけないように固定する、つまり簡易ロックするための安全手摺用固定具を提供することを目的とする。
【課題を解決するための手段】
【０００７】
上記課題を解決するための手段を、後述する実施形態の参照符号を付して説明すると、請求項１に係る発明の安全手摺用固定具は、枠組足場の組立にあたって既設下段足場板１０から新設上段足場板１０の仮設手摺として足場用建枠１，１１の縦材２，２間に取り付けられる安全手摺Ｔで、水平手摺材６とこれの両端部に夫々の一端部が枢着された一対の斜材７，８とからなる安全手摺Ｔを、非使用時にその手摺材６と斜材７，８とがばらけないように固定するための合成樹脂製の安全手摺用固定具１２であって、
水平手摺材６の中央部にそれを抱持するように取り付けられる手摺材固定部１３と、手摺材固定部１３の下側に位置するようにそれと一体に連設され、両斜材７，８を水平手摺材６に対し折り畳む時に両斜材７，８の所要部を夫々嵌め入れて固定するように断面略Ｃ字状に形成された嵌合部１４ａ，１５ａを有する一対の斜材固定部１４，１５とからなり、両斜材固定部１４，１５の断面略Ｃ字状嵌合部１４ａ，１５ａは、夫々斜材７，８を嵌め入れる開口部１４ｏ，１５ｏが下向きに開口して互いに隣り合うように並設されており、
前記手摺材固定部１３は、開くと断面略円弧形を成し、閉じると断面円形を成すように弾性変形可能な可変板状部からなり、この可変板状部１３の両端部に両側一対の接合板部１６，１７を介して前記一対の斜材固定部１４，１５が一体連設され、可変板状部１３を閉じることによって、両接合板部１６，１７どうしを接合させると共に、両斜材固定部１４，１５を互いに隣り合わせに接合して、両接合板部１６，１７をボルト１８止めするようにしてなることを特徴とする。
【０００９】
請求項２は、請求項１に記載の安全手摺用固定具において、前記断面略Ｃ字状嵌合部１４ａ，１５ａの開口部１４ｏ，１５ｏにはその開口端面に、斜材７，８を開口部１４ｏ，１５ｏ内へ案内するテーパガイド部２０，２１を設けてなることを特徴とすることを特徴とする。
【００１０】
請求項３は、請求項１に記載の安全手摺用固定具において、両斜材固定部１４，１５を互いに隣り合わせに接合することによって、両斜材固定部１４，１５の各端部１４ｂ，１５ｂも互いに隣り合わせに接合され、該両接合端部１４ｂ，１５ｂどうしを固定手段により固定するようにしたことを特徴とする。
【００１１】
請求項４は、請求項３に記載の安全手摺用固定具において、前記固定手段は、接合端部１４ｂ，１５ｂの何れか一方から他方にねじ込まれるネジ２２もしくはネジとこれがねじ込まれるナットとからなることを特徴とする。
【００１２】
請求項５は、請求項３に記載の安全手摺用固定具において、前記固定手段は、接合端部１４ｂ，１５ｂの何れか一方の端部１５ｂの接合端面に、末広がりテーパ状頭部２６付き軸部２７を一体形成すると共に、他方の端部１４ｂの接合端面側に、前記頭部２６の大径部より径小で前記軸部２７の長さより長い孔部２８と、前記頭部２６の大径部より径大で且つ頭部２６の軸方向長さより若干長い孔部２９とを同軸状に連設し、前記頭部２６付き軸部２７を前記孔部２８，２９に強制的に押し込むようにしたことを特徴とする。
【発明の効果】
【００１３】
上記解決手段による発明の効果を、後述する実施形態の参照符号を付して説明すると、請求項１に係る発明の安全手摺用固定具１２によると、安全手摺Ｔの水平手摺材６に固定具１２の手摺材固定部１３を固定し、安全手摺Ｔの斜材７，８を固定具１２の斜材固定部１４，１５に嵌め込んで固定しておくことにより、安全手摺Ｔの手摺材６と斜材７，８の３つの部材がばらけることがないから、例えば、既設下段側足場板１０の上から上段側足場用建枠１，１１に安全手摺Ｔを取り付ける際に、既設下段側足場板１０に上がるまでは安全手摺Ｔの３つの部材６，７，８を固定具１２で簡易ロック状態にしておいて、上段側足場用建枠１，１１への取付直前に、その既設下段側足場板１０の上でその簡易ロックを解除するようにすれば、持ち運びの途中でばらけることがなく、作業を安全に行なうことができる。また安全手摺Ｔの保管したり収納する時に３つの部材６，７，８を固定具１２で固定することにより、その保管収納を容易且つ効率良く行うことができるし、また安全手摺Ｔの搬送やトラック等への積み込み・積み下ろし作業も容易となる。また、この固定具１２は合成樹脂製のもので、構造が簡単であるため、安価に提供できる。
【００１４】
また、安全手摺Ｔは、一般に図１の(c) や図２の(c) に示すように、水平手摺材６と、これの両端部に夫々取り付けられた回転金具９を介して夫々の一端部が枢着された一対の斜材７，８とからなるもので、各斜材７，８の一端部は、安全手摺Ｔの使用姿勢において斜材７，８が上下方向に揺動自在となるように水平手摺材６の両端部に枢着され、そして両斜材７，８を水平手摺材６と平行に折り畳む時に、両斜材７，８どうしが不都合に干渉しないように一方の斜材７の枢着端部と他方の斜材８の枢着端部とが水平手摺材６の端部に取り付けた回転金具９を挟んでその左右両側に位置していることから、この発明の固定具１２のように、斜材固定部１４，１５の断面略Ｃ字状嵌合部１４ａ，１５ａの開口部１４ｏ，１５ｏが下向きに開口して互いに隣り合うように並設した構成とすることにより、斜材固定部１４，１５に安全手摺Ｔの斜材７，８を嵌め込む時には、図４に仮想線で示すように断面略Ｃ字状嵌合部１４ａ，１５ａの開口部１４ｏ，１５ｏが下向きに開口して互いに隣り合うように並んでいるから、斜材７，８を水平手摺材６に対し折り畳みながら、この斜材７，８の中間部を、図３の(a) 及び図４に示すように、斜材固定部１４，１５の嵌合部１４ａ，１５ａに対して下から上へと縦方向に押し込むようにすれば、斜材７，８を斜材固定部１４，１５に簡単容易に嵌合固定することができる。
【００１５】
また、本発明によれば、手摺材固定部１３は、開くと断面略円弧形を成し、閉じると断面円形を成すように弾性変形可能な可変板状部からなり、この可変板状部１３の両端部に両側一対の接合板部１６，１７を介して一対の断面略Ｃ字状斜材固定部１４，１５が一体連設されていて、可変板状部１３を閉じることによって、両接合板部１６，１７どうしを接合させると共に、両斜材固定部１４，１５を互いに隣り合わせに接合して、両接合板部１６，１７をボルト１８止めするようにしているから、安全手摺Ｔの水平手摺材６への取り付けが容易になると共に、固定具１２の組み付けが容易となり、また合成樹脂による成形が容易となって製造コストの低廉化を図ることができる。
【００１６】
請求項２に係る発明によれば、断面略Ｃ字状嵌合部１４ａ，１５ａの開口部１４ｏ，１５ｏの開口端面に、斜材７，８を開口部１４ｏ，１５ｏ内へ案内するテーパガイド部２０，２１が設けてあるから、安全手摺Ｔの斜材７，８を固定具１２の斜材固定部１４，１５に嵌め込む時に、斜材７，８を開口部１４ｏ，１５ｏのテーパガイド部２０，２１に押し当てると、テーパガイド部２０，２１の楔作用によって、斜材７，８の外径よりも幅狭の開口部１４ｏ，１５ｏが断面略Ｃ字状嵌合部１４ａ，１５ａの弾性変形により容易に押し開かれて、斜材７，８を嵌合部１４ａ，１５ａ内へ簡単に嵌め込むことができる。
【００１７】
請求項３に係る発明によれば、両斜材固定部１４，１５の接合端部１４ｂ，１５ｂどうしを固定手段で固定することにより、両斜材固定部１４，１５を確実に一体化することができる。固定手段としては、請求項４に記載のネジ止め構造でもよいし、また請求項５に示すように、接合端部１４ｂ，１５ｂの何れか一方の端部１５ｂの接合端面に一体形成した末広がりテーパ状頭部２６付き軸部２７と、他方の端部１４ｂの接合端面側に連設した孔部２８，２９とからなるものが好ましく、特に請求項５に記載の固定手段によれば、接合端部１４ｂ，１５ｂどうしの接合操作を簡単容易で且つ迅速に行なえる利点がある。
【発明を実施するための最良の形態】
【００１８】
以下に本発明の好適な実施形態を図面に基づいて説明すると、図３の(a) は本発明に係る安全手摺用固定具１２の使用状態を示す正面図、(b) は(a) の矢印Ｘで示す部分の拡大図、(c) は(b) のＹ−Ｙ線断面図、(d) は同安全手摺用固定具１２を示す斜視図である。この安全手摺用固定具１２は、合成樹脂製のもので、図３の(a) に示す安全手摺Ｔの水平手摺材６の中央部にそれを抱持するように取り付けられる手摺材固定部１３と、この手摺材固定部１３の下側に位置するように手摺材固定部１３と一体に連設され、安全手摺Ｔの両斜材７，８を水平手摺材６に対し折り畳んだ時に両斜材７，８の中央部を夫々嵌め入れて固定するように断面略Ｃ字状に形成された嵌合部１４ａ，１５ａを有する両側一対の斜材固定部１４，１５とによって構成され、両斜材固定部１４，１５の断面略Ｃ字状嵌合部１４ａ，１５ａは、夫々斜材７，８を嵌め入れる開口部１４ｏ，１５ｏが下向きに開口して互いに隣り合うように並設されている。
【００１９】
図４は安全手摺用固定具１２を展開させた状態を実線で示し、閉じた状態を仮想線で示している。この図４によってこの安全手摺用固定具１２の構造を更に詳細に説明すれば、この固定具１２は、例えばポリプロピレン等により一体成形されたもので、常時は概ね実線図示のような形態にあって、手摺材６の中央部に取り付けられる手摺材固定部１３は、実線図示のように開いた時に断面略円弧形を成し、仮想線図示のように閉じた時に断面円形を成すように弾性変形可能な可変板状部からなる。この可変板状部、即ち手摺材固定部１３の両端部には、両側一対の接合板部１６，１７を介して前記斜材固定部１４，１５が一体に連設され、各斜材固定部１４，１５は断面略Ｃ字状の嵌合部１４ａ，１５ａを有する。各断面略Ｃ字状の嵌合部１４ａ，１５ａの開口部１４ｏ，１５ｏは、斜材７，８の嵌め込み時に嵌合部１４ａ，１５ａの弾性変形によって開口幅を広げるために、斜材７，８の外径よりも狭く形成されている。
【００２０】
尚、手摺材固定部である可変板状部１３は、閉じた時の内径が安全手摺Ｔの外径より僅かに大きく形成されるものとする。また各斜材固定部１４，１５は、断面略Ｃ字状嵌合部１４ａ，１５ａの内径が斜材７，８の外径より僅かに大きく形成されるのが好ましいが、断面が略Ｃ字状であるため、斜材７，８の外径と同一の内径に形成されてもよい。
【００２１】
しかして、この固定具１２は、可変板状部（手摺材固定部）１３を、図４の実線図示のように開いた状態から、仮想線図示のように閉じることによって、両接合板部１６，１７どうしを接合させると共に、両斜材固定部１４，１５を互いに隣り合わせに接合して、両接合板部１６，１７をボルト１８止めするようになっている。
【００２２】
図４に示すように、両接合板部１６，１７には、ボルト１８を挿通するためのボルト挿通孔１６ａ，１７ａが設けられている。
【００２３】
上記のように構成される安全手摺用固定具１２の使用にあたっては、図４の実線図示のように開いた状態の手摺材固定部（可変板状部）１３の内周側を、安全手摺Ｔの水平手摺材６の中央部に当てがい、両側の斜材固定部１４，１５を持って図示の矢印方向に押し曲げながら、同図の仮想線図示のように、手摺材固定部（可変板状部）１３を閉じて水平手摺材６を抱持し、両接合板部１６，１７どうしを接合させると共に、両斜材固定部１４，１５を互いに隣り合わせに接合させるようにする。そして、両接合板部１６，１７のボルト挿通孔１６ａ，１７ａにボルト１８を挿通してナット１９で締め付けることにより、手摺材固定部１３を安全手摺Ｔの水平手摺材６に取り付け固定する。
【００２４】
またこの場合、図３の(b) 〜(f) に示すように、両斜材固定部１４，１５の接合端部１４ｂ，１５ｂどうしをネジ２２によって(b) に示すように２箇所で接合することにより、両斜材固定部１４，１５を確実に一体化することができる。このネジ２２による接合にあたっては、図３の(e) に示すように、一方の斜材固定部１４の接合端部１４ｂにネジ頭嵌合部２３付きネジ挿通孔２４を設け、他方の斜材固定部１５の接合端部１５ｂにはネジ挿通孔２４と対応する位置にタッピン孔２５を設けておき、両斜材固定部１４，１５の接合に際して一方の接合端部１４ｂのネジ挿通孔２４から挿入したタッピンネジ２２を他方の接合端部１５ｂのタッピン孔２５にねじ込んで締め付ける。このようなネジ２２からなる固定手段によれば、両斜材固定部１４，１５の接合端部１４ｂ，１５ｂを簡単に接合することができる。勿論、固定手段は、これに限定されることはなく、図３の(f) に示すように、一方の接合端部１４ｂのネジ挿通孔２４から挿入したネジ２２ａを他方の接合端部１５ｂのナット座２４ａに嵌め込んだナット２２ｂにねじ込んで締め付けるようにしてもよい。
【００２５】
こうして安全手摺用固定具１２を水平手摺材６の中央部に取り付けた後、水平手摺材６に対し折り畳んだ斜材７，８の夫々中央部を、斜材固定部１４，１５に対し夫々嵌め込んで固定させることによって、安全手摺Ｔの水平手摺材６と両斜材７，８の３つの部材を一束にまとめて掴持固定することができる。
【００２６】
この固定具１２の斜材固定部１４，１５に安全手摺Ｔの斜材７，８を嵌め込む時には、図４に仮想線で示すように断面略Ｃ字状嵌合部１４ａ，１５ａの開口部１４ｏ，１５ｏが下向きに開口して互いに隣り合うように並んでいるから、両斜材７，８を水平手摺材６に対し折り畳みながら、この斜材７，８の中間部を、図３の(a) 及び図４に矢印で示すように、斜材固定部１４，１５の嵌合部１４ａ，１５ａに対して下から上へと縦に押し込むようにすることにより、斜材７，８を簡単容易に斜材固定部１４，１５に嵌合固定することができる。
【００２７】
即ち、安全手摺Ｔは、図１の(c) あるいは図２の(c) に示すように、水平手摺材６と、これの両端部に夫々取り付けられた回転金具９を介して夫々の一端部が枢着された一対の斜材７，８とからなるもので、各斜材７，８の一端部は、安全手摺Ｔの使用姿勢において斜材７，８が上下方向に揺動自在となるように水平手摺材６の両端部に枢着され、そして両斜材７，８を水平手摺材６と平行に折り畳む時に、両斜材７，８どうしが不都合に干渉しないように一方の斜材７の枢着端部と他方の斜材８の枢着端部とが、水平手摺材６の端部に取り付けた回転金具９を挟んでその左右両側に位置していることから、上記のように断面略Ｃ字状嵌合部１４ａ，１５ａの開口部１４ｏ，１５ｏが下向きに開口して互いに隣り合うように並設した構成とすれば、安全手摺Ｔの斜材７，８を固定具１２の斜材固定部１４，１５に嵌め込む操作が簡単容易となる。
【００２８】
また安全手摺Ｔの斜材７，８を固定具１２の斜材固定部１４，１５に嵌め込む時には、断面略Ｃ字状嵌合部１４ａ，１５ａの開口部１４ｏ，１５ｏの開口端面に、斜材７，８を開口部１４ｏ，１５ｏ内へ案内するテーパガイド部２０，２１が設けてあるから、斜材７，８を開口部１４ｏ，１５ｏのテーパガイド部２０，２１に押し当てると、テーパガイド部２０，２１の楔作用によって、斜材７，８の外径よりも幅狭の開口部１４ｏ，１５ｏが断面略Ｃ字状嵌合部１４ａ，１５ａの弾性変形により容易に押し開かれて、斜材７，８を嵌合部１４ａ，１５ａ内へ簡単に嵌め込むことができる。
【００２９】
この安全手摺用固定具１２は、安全手摺Ｔの水平手摺材６に常時取り付けておいて、安全手摺Ｔを使用しない時、即ち保管収納時、運搬時等には、その斜材固定部１４，１５に安全手摺Ｔの斜材７，８を夫々嵌め込んで固定した状態にしておく。しかして、安全手摺Ｔを仮設枠組足場に取り付ける際に、斜材７，８を固定具１２の斜材固定部１４，１５から抜き取ればよい。
【００３０】
以上説明したような安全手摺用固定具１２を安全手摺Ｔの水平手摺材６に取り付けておいて、安全手摺Ｔの斜材７，８を固定具１２の斜材固定部１４，１５に嵌め込んで固定させておくことにより、安全手摺Ｔの手摺材６と斜材７，８とがばらけることがないから、安全手摺Ｔの取付作業を安全に且つ能率良く行なうことができる。
【００３１】
即ち、図１や図２に示される枠組足場の組立にあたり、既設下段側足場板１０の上から安全手摺Ｔを上段側足場用建枠１，１１に取り付ける際に、既設下段側足場板１０に上がるまでは安全手摺Ｔの３つの部材６，７，８を固定具１２で固定した状態にしておいて、上段側足場用建枠１，１１への取付直前に、既設下段側足場板１０の上でその固定（簡易ロック）を解除するようにすれば、安全手摺Ｔの持ち運び中に３つの部材６，７，８がばらけないので、作業を安全且つ能率よく行なうことができる。また、この固定具１２を使用することによって、安全手摺Ｔの保管収納も容易に且つ効率良く行うことができるし、安全手摺Ｔの搬送やトラック等への積み込み、積み下ろしも安全且つ容易に行なうことができる。また、この固定具１２は、合成樹脂製のもので、構造が簡単であるため、製造が容易で、安価に提供できる。
【００３２】
また、この安全手摺用固定具１２にあっては、手摺材固定部１３は、開くと断面略円弧形を成し、閉じると断面円形を成すように弾性変形可能な可変板状部からなり、この可変板状部１３の両端部に両側一対の接合板部１６，１７を介して一対の断面略Ｃ字状斜材固定部１４，１５が一体連設されていて、可変板状部１３を閉じることによって、両接合板部１６，１７どうしを接合させると共に、両斜材固定部１４，１５を互いに隣り合わせに接合して、両接合板部１６，１７をボルト１８止めするようにしているから、安全手摺Ｔの水平手摺材６への取り付けが容易になると共に、固定具１２の組み付けが容易となり、また合成樹脂による成形が容易となって製造コストの低廉化を図ることができる。
【００３３】
図５は、両斜材固定部１４，１５の接合端部１４ｂ，１５ｂどうしを、図３に示すネジ具（ネジ２２）に代わる他の固定手段により固定する場合を例示したものである。即ち、同図(b) に示すように、接合端部１４ｂ，１５ｂの何れか一方の端部１５ｂの接合端面に、末広がりテーパ状の頭部２６を有する軸部２７を、合成樹脂による固定具１２の成形時に一体形成すると共に、他方の端部１４ｂの接合端面側には、前記頭部２６の大径部よりも径小で前記軸部２７の長さより僅かに長い孔部２８と、前記頭部２６の大径部よりも径大で且つ頭部２６の軸方向長さよりも若干長い孔部２９とを同軸状に連設したもので、両斜材固定部１４，１５を隣り合わせに接合する際に、一方の接合端部１５ｂの頭部２６付き軸部２７を、他方の接合端部１４ｂの孔部２８，２９に強制的に押し込むことにより、末広がりテーパ状頭部２６の径大部が、孔部２８を通る時に弾性変形により縮径した後、孔部２９に入って復元し、それによって接合端部１４ｂ，１５ｂは同図(c) に示すようにロックされた状態に接合される。尚、この末広がりテーパ状頭部２６付き軸部２７と、孔部２８，２９とからなる固定手段は、図３に示すネジ２２による固定手段と同じく、２箇所に設けられる。この図５に示すような固定手段によれば、接合端部１４ｂ，１５ｂどうしの接合操作を簡単容易にして且つ迅速に行なえる利点がある。
【図面の簡単な説明】
【００３４】
【図１】(a) はＨ形の足場用建枠からなる枠組足場を示す正面図、(b) はその側面図、(c) は安全手摺Ｔを示す正面図である。
【図２】(a) は変形Ｈ形足場用建枠からなる枠組足場を示す正面図、(b) はその側面図、(c) は安全手摺Ｔを示す正面図である。
【図３】(a) は本発明に係る安全手摺用固定具の使用状態を示す正面図、(b) は (a)の矢印Ｘで示す部分の拡大図、(c) は(b) のＹ−Ｙ線断面図、(d) は同安全手摺用固定具を示す斜視図、(e) は同固定具の細部の一部縦断側面図、(f) は同細部の他の変例を示す一部縦断側面図である。
【図４】安全手摺用固定具１２を展開させた状態を示す拡大平面図である。
【図５】両斜材固定部の接合端部どうしを固定する固定手段の他の例を示すもので、 (a)は図３の(c) と同様な図面、(b) は両接合端部が接合固定される前の状態を示す説明図、(c) は両接合端部が接合固定された状態を示す説明図である。
【符号の説明】
【００３５】
１                  足場用建枠
２                  縦材
Ｔ                  安全手摺
６                  安全手摺の水平手摺材
７，８              安全手摺の斜材
１２                安全手摺用固定具
１３                固定具の手摺材固定部
１４，１５          固定具の斜材固定部
１４ａ，１５ａ      断面略Ｃ字状嵌合部
１４ｏ，１５ｏ      断面略Ｃ字状嵌合部の開口部
１６，１７          接合板部
２０，２１          テーパガイド部
【図１】
0004435077.tif 000002
【図２】
0004435077.tif 000003
【図３】
0004435077.tif 000004
【図４】
0004435077.tif 000005
【図５】
0004435077.tif 000006